(57)【特許請求の範囲】
【請求項１】
供給される温水を加熱する第１熱源機並びに、前記第１熱源機よりも高効率な第２熱源機と、
温水を貯湯すると共に当該貯湯された温水を給湯負荷に供給する貯湯タンクと、
前記貯湯タンク下部に設けられた出水口から取得された温水が、前記第１熱源機を介して前記貯湯タンク上部に設けられた入水口から前記貯湯タンクに再供給される第１循環回路と、
前記貯湯タンク下部に設けられた入出水口から取得された温水が、前記第２熱源機を介して直接、若しくは更に前記第１熱源機を介して、前記入水口から前記貯湯タンクに再供給される第２循環回路と、
給水源から供給された低温水が、分岐点で分岐されて前記入出水口並びに前記第２熱源機に供給される給水回路と、
前記分岐点と前記給水源の間の流路内を通水する温水の温度測定が可能な第１温度センサと、
前記分岐点と前記入出水口の間の流路内を通水する温水の温度測定が可能な第２温度センサと、を備えてなり、
前記第２循環回路上において、前記入出水口と前記第２熱源機の間に前記分岐点が介在することで、前記第２循環回路と前記給水回路が一部の経路を共通に構成し、
前記第１熱源機が、
前記第２熱源機が運転中である場合において、前記第２温度センサの検出温度が、前記第１温度センサの検出温度よりも所定の誤差範囲を超えて高温である場合には停止する制御が行われることを特徴とする給湯システム。
【請求項２】
前記貯湯タンク内における前記入出水口よりも前記入水口に近い領域内に貯湯された温水の温度測定が可能な第３温度センサを備えており、
前記第１熱源機が、
前記第２熱源機が運転中であって、且つ、前記第１温度センサと前記第２温度センサの検出温度が前記誤差範囲内で同一である場合において、前記第３温度センサの検出温度が第１温度以下である場合には稼働し、前記第１温度より高い第２温度以上である場合には停止する制御が行われることを特徴とする請求項１に記載の給湯システム。
【請求項３】
前記第１熱源機が、
前記第２熱源機が停止中であって、前記第３温度センサで検出された温度が第３温度以下であれば稼働し、前記第３温度より高い前記第４温度以上であれば停止する制御が行われることを特徴とする請求項１又は２に記載の給湯システム。
【請求項４】
前記分岐点を通水する温水の温度測定が可能な第４温度センサを備えており、
前記第２熱源機が、前記第４温度センサによって検出された温度に応じて発停制御が行われる構成であることを特徴とする請求項１〜３の何れか１項に記載の給湯システム。
【請求項５】
前記第２温度センサで測定される対象となる温水の通水路が、前記第４温度センサで測定される対象となる温水の通水路よりも高さ位置が高いことを特徴とする請求項４に記載の給湯システム。
【請求項６】
前記貯湯タンク内における前記入水口よりも前記入出水口に近い領域内に貯湯された温水の温度測定が可能な第４温度センサを備えており、
前記第２熱源機が、前記第４温度センサによって検出された温度に応じて発停制御が行われる構成であることを特徴とする請求項１〜３の何れか１項に記載の給湯システム。
【請求項７】
前記第２熱源機が、前記第４温度センサによる検出温度が第５温度以下であれば稼働し、前記第５温度より高い第６温度以上であれば停止する制御が行われることを特徴とする請求項４〜６の何れか１項に記載の給湯システム。
【請求項８】
前記給水回路上において、異なる３方向に第１〜第３開口部を有してなる第１継手が前記分岐点と前記給水源の間に、異なる３方向に第４〜第６開口部を有してなる第２継手が前記分岐点と前記入出水口の間に、夫々介装されており、
前記第１継手が、前記第２開口部に前記給水源を、前記第３開口部に前記分岐点を夫々接続し、
前記第２継手が、前記第５開口部に前記分岐点を、前記第６開口部に前記入出水口を夫々接続し、
前記第１温度センサが、前記第１開口部から前記第１継手内部の流路に到達するように挿嵌されることで前記第１継手内部の流路を通水する温水の温度測定が可能に構成され、
前記第２温度センサが、前記第４開口部から前記第２継手内部の流路に到達するように挿嵌されることで前記第２継手内部の流路を通水する温水の温度測定が可能に構成されることを特徴とする請求項１〜７の何れか１項に記載の給水システム。
【請求項９】
前記第２熱源機が、ヒートポンプ回路の凝縮器からの凝縮熱と熱交換することで前記低温水を加熱して温水を生成するヒートポンプ給湯機であることを特徴とする請求項１〜８の何れか１項に記載の給湯システム。
【発明の詳細な説明】
【技術分野】
【０００１】
本発明は、貯湯タンクから給湯負荷に対して給湯可能に構成された給湯システムに関し、特に、複数の熱源機を備えた給湯システムに関する。
【背景技術】
【０００２】
給湯システムは、熱源機によって加熱された温水を貯湯タンクに貯湯し、この貯湯タンクから給湯負荷に温水を供給する構成となっている。従来、熱源機として、ガス等を熱源とする温水ボイラを利用するものや、ヒートポンプ回路の凝縮器からの凝縮熱と熱交換して水を加熱するヒートポンプ給湯機を利用するものが存在する。
【０００３】
ヒートポンプ給湯機は、夜間の安価な電力を使用することで、夜間の給湯使用量の少ない低給湯負荷状態となる時間帯に貯湯タンクに温水を貯めて、翌日の昼間の給湯負荷、例えば風呂やシャワー等の給湯に対して使用するのが一般的である。
【０００４】
しかしながら、ヒートポンプ給湯機の加熱能力は、夜間の低給湯負荷状態を想定して決定されているため、専ら貯湯目的に所定の温度に加熱するだけでよく、短時間での加熱能力は非常に低くなっており、高給湯負荷時に貯湯タンクの温水を消費した場合に温水の給湯能力が不足する場合が生じる。又、夜間に蓄熱する一方、温水を利用するのは翌日の昼間や夕方となるため使用時間が大幅にずれ、貯湯タンクからの放熱が多くなり、せっかく高効率で蓄熱した熱を放熱させてしまうという問題が生じる。
【０００５】
このようなヒートポンプ給湯機の加熱能力不足を補い、ヒートポンプ給湯機に必要な給湯能力を確保する方法として、本出願人により、ヒートポンプ給湯機と温水ボイラを併用する給湯システムが従来開示されている（下記特許文献１参照）。以下、特許文献１に開示された構成につき、図面を参照して説明する。
【０００６】
図１１は、上記特許文献１に開示された給湯システムの概略構成図である。図１１に示す給湯システム１００は、貯湯タンク１、ヒートポンプ給湯機２、温水ボイラ３、給湯負荷４、給水源５を備える。
【０００７】
給水源５からは、弁１１、三方継手４１を介して、入出水口３１から貯湯タンク１に低温水が供給可能に構成されている。更に、給水源５から、弁１１、三方継手４１、弁１２、循環ポンプ１３、弁１４を介してヒートポンプ給湯機２に低温水が供給可能に構成されている。ヒートポンプ給湯機２は、ヒートポンプ回路の冷媒として例えばＣＯ２を採用したＣＯ２ヒートポンプで構成され、供給された低温水（又は温水）に対して凝縮器からの凝縮熱と熱交換して加熱処理を行い、加熱された温水が、逆止弁１５、三方継手４２、弁１６を介して、入水口３３から貯湯タンク１に供給される。入水口３３は、貯湯タンク１内において入出水口３１よりも上方に形成されている。
【０００８】
又、貯湯タンク１に貯えられた温水は、出水口３２から逆止弁１７、循環ポンプ２４、弁１８を介して温水ボイラ３に供給可能に構成されている。温水ボイラ３は、例えばガス焚真空式温水機で構成され、缶体内の下部にガスバーナの火炎で熱媒水を加熱する火炉を設けると共に、缶体内の上部の減圧空気中にＵ字状の伝熱管を設けており、缶体内の下部に封入された熱媒水をガスバーナの火炎で加熱し、その上部の減圧空気中の伝熱管を加熱することによって伝熱管中を流れる水を加熱する。温水ボイラ３は、このようにして供給される温水をボイラによって加熱した後、弁１９、三方継手４２、弁１６を介して入水口３３から貯湯タンク１に温水を供給する。即ち、貯湯タンク１の出水口３２から取得された温水が、循環ポンプ２４を介して温水ボイラ３へ供給され、当該温水ボイラ３で加熱された後、入水口３３から貯湯タンク１に再供給される循環回路（以下、「第１循環回路Ｃ１」と記載）が構成されている。
【０００９】
更に、貯湯タンク１に貯えられた温水は、入出水口３１から三方継手４１、弁１２、循環ポンプ１３、弁１４を介してヒートポンプ給湯機２に供給され、再加熱可能に構成されている。ヒートポンプ給湯機２によって加熱された温水は、上述したように、入水口３３から貯湯タンク１に供給され、貯湯される。即ち、貯湯タンク１の入出水口３１から取得された温水が、循環ポンプ１３を介してヒートポンプ給湯機２へ供給され、当該ヒートポンプ給湯機２で加熱された後、入水口３３から貯湯タンク１に再供給される循環回路（以下、「第２循環回路Ｃ２」と記載）が構成されている。図１２に、第１循環回路Ｃ１及び第２循環回路Ｃ２の経路図を示す。尚、図１２では、弁や継手等の一部の構成要素の図示を省略している。
【００１０】
又、第２循環回路Ｃ２において、ポンプ１３が稼働して入出水口３１から取り出された温水は、全てヒートポンプ給湯機２側へ送出される構成である。
【００１１】
そして、貯湯タンク１内に貯湯された温水は、貯湯タンク１の出水口３４から、弁２１を介して給湯負荷４に対して供給される。給湯負荷４は、例えばカランやシャワー、浴槽等で構成される。水は、温度が高くなるにつれ上方に移動する性質、いわゆる対流性を有しているため、貯湯タンク１の上部領域には温度の高い温水が貯湯される。従って、貯湯タンク１の上部領域に設置された出水口３４から給湯負荷４に対して高温の温水を供給することが可能となる。又、その温水の一部が、管路での放熱による温水温度の低下を防止すべく、循環ポンプ２３、弁２２を介して入水口３５から貯湯タンク１に循環される。
【００１２】
又、貯湯タンク１には、タンク上部に貯えられた温水の温度を検出する温度センサ５１、及びタンク下部に貯えられた温水の温度を検出する温度センサ５２が取り付けられている。上述したように、給水源５から供給される低温水が貯湯タンク１の下部に取り付けられた入出水口３１からタンク１内に流入し、ヒートポンプ給湯機２若しくは温水ボイラ３で加熱された温水が貯湯タンク１の上部に取り付けられた入水口３３からタンク１内に流入する構成である。このため、タンク下部に取り付けられた温度センサ５２よりも、タンク上部に取り付けられた温度センサ５１の方が高い温度を検出する。
【００１３】
そして、この温度センサ５１の検出結果に基づいて温水ボイラ３及び循環ポンプ２４の制御を行う一方、温度センサ５２の検出結果に基づいてヒートポンプ給湯機２及び循環ポンプ１３の制御を行う。より具体的には、例えば温度センサ５１から与えられる温度情報が５０℃以上であれば温水ボイラ３及び循環ポンプ２４を停止させる一方、３５℃以下であれば温水ボイラ３及び循環ポンプ２４を稼働させる。更に、例えば温度センサ５２から与えられる温度情報が５０℃以上であればヒートポンプ給湯機２及び循環ポンプ１３を停止させる一方、３５℃以下であればヒートポンプ給湯機２及び循環ポンプ１３を稼働させる。
【００１４】
上述したように、温度センサ５２よりも温度センサ５１の方が高い温度が検出されるため、貯湯タンク１内に給水源５から低温水が供給され、タンク内の温度が低下し始めると、温度センサ５２の方が先に３５℃以下を検出し、これによって温水ボイラ３よりヒートポンプ給湯機２の方が先に稼働される。一方、加熱された温水が供給されることでタンク内の温度が上昇し始めると、温度センサ５１の方が先に５０℃以上を検出し、これによって温水ボイラ３がヒートポンプ給湯機２よりも先に停止される。このように、図１１の構成とすることで、温水ボイラ３よりもヒートポンプ給湯機２を優先的に稼動させる制御が行われることとなる。上述のように、ヒートポンプ給湯機２は温水ボイラ３よりも単体で高効率を実現する構成であるため、高効率のヒートポンプ給湯機２の稼働率が向上されることで、システム全体としての高い効率が実現できる。
【００１５】
【特許文献１】特開２００７−１７０７７０号公報
【発明の開示】
【発明が解決しようとする課題】
【００１６】
上述したように、図１１に示す給湯システム１００の場合、温水ボイラ３よりもヒートポンプ２を優先的に稼働して、稼働率を向上させることで、システム全体の効率が向上する。しかしながら、実際には、給湯負荷が無く貯湯タンク１内に蓄熱運転を行う場合等において、温水ボイラ３よりも先にヒートポンプ給湯機２が停止する場合もある。
【００１７】
このような場合においても、ヒートポンプ給湯機２をできるだけ優先的に稼働させることは、システム全体の効率を向上させる点から望ましい。その方法としては、給湯負荷４で消費される温水流量を測定するための流量計を設け、給湯の使用が無い場合や、ヒートポンプ給湯機２の出力のみで対応可能な場合には温水ボイラ３を運転させないような制御を行うことが考えられる。
【００１８】
しかしながら、かかる方法でヒートポンプ給湯機２の制御を行うためには、別途流量センサを設置する必要がある。流量センサは、温度センサと比較して高価であるため、当該流量センサをシステム内に導入すると、システム全体のコストが上昇し、高効率な給湯システムを広く普及させることが困難となる。
【００１９】
本発明は、上記の問題点に鑑み、複数の熱源機を有する給湯システムにおいて、流量センサを備えることなく給湯使用量を判断し、熱効率の高い一の熱源機を最大限優先的に稼働させることで給湯システム全体の熱効率を更に上昇させることを目的とする。
【課題を解決するための手段】
【００２０】
上記目的を達成するための本発明に係る給湯システムは、供給される温水を加熱する第１熱源機並びに、前記第１熱源機よりも高効率な第２熱源機と、温水を貯湯すると共に当該貯湯された温水を給湯負荷に供給する貯湯タンクと、前記貯湯タンク下部に設けられた出水口から取得された温水が、前記第１熱源機を介して前記貯湯タンク上部に設けられた入水口から前記貯湯タンクに再供給される第１循環回路と、前記貯湯タンク下部に設けられた入出水口から取得された温水が、前記第２熱源機を介して直接、若しくは更に前記第１熱源機を介して、前記入水口から前記貯湯タンクに再供給される第２循環回路と、給水源から供給された低温水が、分岐点で分岐されて前記入出水口並びに前記第２熱源機に供給される給水回路と、前記分岐点と前記給水源の間の流路内を通水する温水の温度測定が可能な第１温度センサと、前記分岐点と前記入出水口の間の流路内を通水する温水の温度測定が可能な第２温度センサと、を備えてなり、前記第２循環回路上において、前記入出水口と前記第２熱源機の間に前記分岐点が介在することで、前記第２循環回路と前記給水回路が一部の経路を共通に構成し、前記第１熱源機が、前記第２熱源機が運転中である場合において、前記第２温度センサの検出温度が、前記第１温度センサの検出温度よりも所定の誤差範囲を超えて高温である場合には停止する制御が行われることを第１の特徴とする。
【００２１】
本発明に係る給湯システムの上記第１の特徴構成によれば、第１温度センサで分岐点と前記給水源の間の流路内を通水する温水の温度が測定され、第２温度センサで分岐点と前記入出水口の間の流路内を通水する温水の温度が測定される。そして、第２温度センサによる検出温度が、第１温度センサによる検出温度よりも所定の誤差範囲を超えて高温であることは、前記分岐点を隔てて、給水源側の管路内の水温よりも、貯湯タンク側の管路内の水温の方が高温であること、即ち、給水源から供給された低温水が入出水口より貯湯タンクに対して流入している状態ではないことを意味している。更に、このことは、（ａ）貯湯タンク内に貯湯された温水が入出水口より取り出されて分岐点を介して第２熱源機へ供給されているか、若しくは、（ｂ）給水源からの低温水が分岐点を介して第２熱源機へ供給されている状態であることを意味している。
【００２２】
ここで、前記（ａ）の場合、給湯負荷がそれほど高負荷ではなく、給水源からの低温水の供給がなくても貯湯タンク内に貯えられた温水のみで給湯負荷に対する対応が可能であることを表しており、又、前記（ｂ）の場合、（ａ）の場合よりは負荷が高いか、若しくは貯湯タンク内に給湯負荷を賄えるだけの温水が貯湯されていないが、給湯負荷が第２熱源機の出力で対応可能な範囲内の大きさであることを表している。
【００２３】
即ち、流量センサを貯湯タンクに取り付けなくても、給湯負荷に対する相対的な貯湯タンク内の貯湯量を把握することができる。つまり、上記（ａ）及び（ｂ）のいずれの場合においても、第１熱源機を停止させても給湯負荷を賄うことができると判断され、かかる状態においては熱効率の高い第２熱源機のみを稼働させることができる。これによって、効率の高い第２熱源機を最大限優先的に稼働させる制御を行うことができ、システム全体の効率を向上させることができる。
【００２４】
又、本発明に係る給湯システムは、上記第１の特徴構成に加えて、前記貯湯タンク内における前記入出水口よりも前記入水口に近い領域内に貯湯された温水の温度測定が可能な第３温度センサを備えており、前記第１熱源機が、前記第２熱源機が運転中であって、且つ、前記第１温度センサと前記第２温度センサの検出温度が前記誤差範囲内で同一である場合において、前記第３温度センサの検出温度が第１温度以下である場合には稼働し、前記第１温度より高い第２温度以上である場合には停止する制御が行われることを第２の特徴とする。
【００２５】
又、本発明に係る給湯システムは、上記第１又は第２の特徴構成に加えて、前記第１熱源機が、前記第２熱源機が停止中であって、前記第３温度センサで検出された温度が第３温度以下であれば稼働し、前記第３温度より高い前記第４温度以上であれば停止する制御が行われることを第３の特徴とする。
【００２６】
又、本発明に係る給湯システムは、上記第１〜第３の何れか一の特徴構成に加えて、前記分岐点を通水する温水の温度測定が可能な第４温度センサを備えており、前記第２熱源機が、前記第４温度センサによって検出された温度に応じて発停制御が行われる構成であることを第４の特徴とする。
【００２７】
又、本発明に係る給湯システムは、上記第４の特徴構成に加えて、前記第２温度センサで測定される対象となる温水の通水路が、前記第４温度センサで測定される対象となる温水の通水路よりも高さ位置が高いことを第５の特徴とする。
【００２８】
又、本発明に係る給湯システムは、上記第１〜第３の何れか一の特徴構成に加えて、前記貯湯タンク内における前記入水口よりも前記入出水口に近い領域内に貯湯された温水の温度測定が可能な第４温度センサを備えており、前記第２熱源機が、前記第４温度センサによって検出された温度に応じて発停制御が行われる構成であることを第６の特徴とする。
【００２９】
又、本発明に係る給湯システムは、上記第４〜第６の何れか一の特徴構成に加えて、前記第２熱源機が、前記第４温度センサによる検出温度が第５温度以下であれば稼働し、前記第５温度より高い第６温度以上であれば停止する制御が行われることを第７の特徴とする。
【００３０】
又、本発明に係る給湯システムは、上記第１〜第７の何れか一の特徴構成に加えて、前記給水回路上において、異なる３方向に第１〜第３開口部を有してなる第１継手が前記分岐点と前記給水源の間に、異なる３方向に第４〜第６開口部を有してなる第２継手が前記分岐点と前記入出水口の間に、夫々介装されており、前記第１継手が、前記第１開口部に前記給水源を、前記第２開口部に前記分岐点を夫々接続し、前記第２継手が、前記第４開口部に前記分岐点を、前記第５開口部に前記入出水口を夫々接続し、前記第１温度センサが、前記第３開口部から前記第１継手内部の流路に到達するように挿嵌されることで前記第１継手内部の流路を通水する温水の温度測定が可能に構成され、前記第２温度センサが、前記第６開口部から前記第２継手内部の流路に到達するように挿嵌されることで前記第２継手内部の流路を通水する温水の温度測定が可能に構成されることを第８の特徴とする。
【００３１】
又、本発明に係る給湯システムは、上記第１〜第８の何れか一の特徴構成に加えて、前記第２熱源機が、ヒートポンプ回路の凝縮器からの凝縮熱と熱交換することで前記低温水を加熱して温水を生成するヒートポンプ給湯機であることを第９の特徴とする。
【発明の効果】
【００３２】
本発明の構成によれば、流量センサを取り付けることなく、給湯負荷の大きさに対する貯湯タンク内に貯えられている温水量を相対的に認識することができる。これによって、熱効率の高い第２熱源機の出力のみで給湯負荷を賄うことができる場合には、熱効率の低い第１熱源機を停止させる制御を行うことで、システム全体の熱効率の向上を図ることができる。
【発明を実施するための最良の形態】
【００３３】
以下において、本発明に係る給湯システム（以下、適宜「本発明システム」と称する）の実施形態について図面を参照して説明する。
【００３４】
［第１実施形態］
本発明システムの第１実施形態（以下、適宜「本実施形態」と称する）につき、図１〜図５の各図を参照して説明する。尚、図１１及び図１２に示す従来構成と同一の構成要素については、同一の符号を付し、その説明を簡略化又は省略する。
【００３５】
又、以下の各図面は、システム構成を概略的に示したものであり、圧力センサ等の一部の構成要素については図示していない。
【００３６】
図１は、本発明システムの概略構成図である。図１に示す本発明システム１０は、図１１に示す従来の給湯システム１００と比べて、給水源５と三方継手４１の間に三方継手４３を、三方継手４１と入出水口３１の間に三方継手４４を夫々備えると共に、各三方継手が備える一の開口部から三方継手内部の流路に到達するように温度センサ５３及び５４が挿嵌されている。
【００３７】
図２は、三方継手４３及び４４を含む本発明システム１０の一部分を拡大した概略構成図である。図２に示すように、三方継手４３は開口部４３ａ〜４３ｃを、三方継手４４は開口部４４ａ〜４４ｃを夫々有している。又、三方継手４１は、開口部４１ａ〜４１ｃを有しており、開口部４１ａにヒートポンプ給湯機２と連絡された管路が接続されている。
【００３８】
三方継手４３は、開口部４３ａに当該三方継手４３内部の流路に到達するように温度センサ５３が挿嵌されており、三方継手４３内部の流路を通水する温水の温度測定が可能に構成されている。又、開口部４３ｂには給水源５と連絡された管路が接続され、開口部４３ｃは三方継手４１の開口部４１ｂと連絡され、給水源５から供給される低温水を三方継手４１へ導く。
【００３９】
同様に、三方継手４４は、開口部４４ａに当該三方継手４４内部の流路に到達するように温度センサ５４が挿嵌されており、三方継手４４内部の流路を通水する温水の温度測定が可能に構成されている。又、開口部４４ｂは三方継手４１の開口部４１ｃと連絡され、開口部４４ｃは貯湯タンク１の入出水口３１と連絡されている。これにより、給水源５から供給される低温水が三方継手４３、４１、及び４４を夫々介して、入出水口３１から貯湯タンク１内に供給可能に構成されている。又、貯湯タンク１に貯えられた温水が入出水口３１から取得され、三方継手４４及び４１を介して、三方継手４１の開口部４１ａからヒートポンプ給湯機２へ供給可能に構成されている。
【００４０】
このように本発明システム１０は、三方継手４３内部の流路を通水する温水の温度が温度センサ５３によって検出可能に構成され、又、三方継手４４内部の流路を通水する温水の温度が温度センサ５４によって検出可能に構成される。
【００４１】
尚、本実施形態に係る本発明システム１０では、従来の給湯システム１００と同様、ヒートポンプ給湯機２は温度センサ５２の検出結果に基づいて発停制御が行われる。即ち、具体的には、例えば温度センサ５２の検出温度が５０℃以上であればヒートポンプ給湯機２及び循環ポンプ１３を停止させる一方、３５℃以下であればヒートポンプ給湯機２及び循環ポンプ１３を稼働させる。尚、制御条件となる設定温度の値は一例であって、この値に限られるものではない。以下の各実施形態においても同様とする。
【００４２】
そして、本発明システム１０では、ヒートポンプ給湯機２の発停状態、並びに温度センサ５１、５３、及び５４の検出結果に基づいて、温水ボイラ３の発停制御が行われる。又、前記のように、ヒートポンプ給湯機２は温度センサ５２の検出温度に基づいて発停制御が行われる。従って、温度センサ５２の検出温度を確認することでヒートポンプ給湯機２の発停状態を確認することができる。図１では、温度センサ５２の情報がヒートポンプ給湯機２のみならず温水ボイラ３に対しても送られる旨が図示されているが、これは、温度センサ５２の検出温度に基づいてヒートポンプ給湯機２の発停状態を確認し、更に、この結果と温度センサ５１、５３、及び５４の検出結果に基づいて温水ボイラ３の発停制御が行われることを表している。
【００４３】
尚、ヒートポンプ給湯機２の発停状態の判断方法については、図１に図示したように温度センサ５２の検出温度に基づいて判断する方法の他、例えば循環ポンプ１３の開閉状態で判断するものとしても構わないし、ヒートポンプ給湯機２から当該給湯機２の状態判断が可能な状態信号が送出されており、かかる信号を受信することでヒートポンプ給湯機２の状態を判断するものとしても構わない。
【００４４】
以下、本発明システム１０における温水ボイラ３及び循環ポンプ２４の発停制御条件につき詳細に説明する。尚、本実施形態においては、循環ポンプ２４は温水ボイラ３と共に制御が行われ、循環ポンプ１３はヒートポンプ給湯機２と共に制御が行われる構成であるため、以下において、制御内容の説明を行う際には、温水ボイラ３及びヒートポンプ給湯機２に対する制御についてのみ説明を行い、循環ポンプ２４及び循環ポンプ１３についての言及を省略する。
【００４５】
図３は、温水ボイラ３に対する制御内容を条件毎にテーブル形式で記載した制御条件テーブルである。
【００４６】
温水ボイラ３は、（１）ヒートポンプ給湯機２の発停状態、（２）温度センサ５３と温度センサ５４の検出温度の対比結果、及び（３）温度センサ５１の検出温度、の３条件によって発停動作が制御される。図３に示すテーブル内の（１）〜（３）は、前記各条件（１）〜（３）に夫々対応している。
【００４７】
尚、具体的には、各温度センサ５１〜５４の検出温度に関する情報等を受信する制御手段（不図示）を設け、当該制御手段によって温水ボイラ３並びに循環ポンプ２４の動作制御が行われるものとして良い。以下では、この制御手段によって温水ボイラ３及び循環ポンプ２４が制御される構成であるものとして説明する。
【００４８】
図３のテーブルに示されるように、ヒートポンプ給湯機２が動作している場合（＃１）と、停止している場合（＃２）とで制御内容が異なるため、制御手段は、まずヒートポンプ給湯機２が動作しているか否かについての判断を行う。
【００４９】
そして、ヒートポンプ給湯機２が動作していると判断された場合（＃１）、制御手段は、次に温度センサ５３と温度センサ５４の検出温度の比較を行う。
【００５０】
まず、温度センサ５４が温度センサ５３よりも所定の誤差範囲を超えて高い温度を示している場合（＃１１）について説明する。尚、この「所定の誤差範囲」とは、給水源５から貯湯タンク１に対して低温水が供給されている場合においても温度センサ５３と温度センサ５４の間に生じうる温度差の範囲内をいうものとし、例えば絶対値で１．０℃以下の範囲内をいう。
【００５１】
状態＃１１を示す場合とは、三方継手４１を隔てて、給水源５側の管路内の水温よりも、貯湯タンク１側の管路内の水温の方が高温であること、即ち、給水源５から供給された低温水が入出水口３１より貯湯タンク１に対して流入している状態ではないことを意味している。そして、このことは、（ａ）貯湯タンク１内に貯湯された温水が入出水口３１より取り出されて三方継手４１を介してヒートポンプ給湯機２へ供給されているか、若しくは、（ｂ）給水源５からの低温水が三方継手４１を介してヒートポンプ給湯機２へ供給されている状態であることを意味している。図４は、状態＃１１に対応する温水（低温水）の流れを示した本発明システム１０の一部概略構成図である。
【００５２】
ここで、前記（ａ）の場合、給湯負荷４がそれほど高負荷ではなく、給水源５からの低温水の供給がなくても貯湯タンク１内に貯えられた温水のみで給湯負荷４に対する対応が可能であることを表している。又、前記（ｂ）の場合、（ａ）の場合よりは負荷が高いか、若しくは貯湯タンク１内に給湯負荷４を賄えるだけの温水が貯湯されていないが、給湯負荷４がヒートポンプ給湯機２の出力で対応可能な範囲内の大きさであることを表している。
【００５３】
従って、前記（ａ）若しくは（ｂ）の状態、即ち状態＃１１を示す場合は、温水ボイラ３を稼働させなくてもヒートポンプ給湯機２のみで給湯負荷４への対応が可能であることが分かる。このため、状態＃１１の場合は、温水ボイラ３を停止させる制御を行う。
【００５４】
次に、温度センサ５４が温度センサ５３よりも所定の誤差範囲内で同一の温度を示している場合（＃１２）について説明する。
【００５５】
状態＃１２を示す場合とは、三方継手４１を隔てて、給水源５側の管路内と貯湯タンク１側の管路内とが同程度の水温であることを意味しており、このことは、即ち、給水源５から供給された低温水が入出水口３１より貯湯タンク１に対して流入している状態を意味している。これは、貯湯タンク１内に十分な量の温水が貯湯されていないため、給水源５から貯湯タンク１に対して直接低温水を供給している状態であると考えられる。図５は、状態＃１２に対応する低温水の流れを示した本発明システム１０の一部概略構成図である。
【００５６】
状態＃１２であることが確認されると、制御手段は、更に温度センサ５１の検出温度を確認する。
【００５７】
ここで、温度センサ５１の検出温度が所定のＴ１℃（例えば６０℃）以下である場合（＃１２１）、給水源５から供給された低温水によって貯湯タンク１内に貯湯された温水の温度が低下していることを意味しているため、タンク１内の温水の温度を高めるべく温水ボイラ３を稼働する制御を行う。
【００５８】
又、温度センサ５１の検出温度がＴ１℃より高い所定のＴ２℃（例えば６５℃）以上である場合（＃１２２）、貯湯タンク１内に貯えられている温水が十分高い温度を維持していることを意味しているため、温水ボイラ３を停止する制御を行う。
【００５９】
尚、温度センサ５１の検出温度がＴ１℃とＴ２℃の間にある場合には（＃１２３）、温水ボイラ３に対する制御は行わず、その時点における温水ボイラ３の状態を維持する。
【００６０】
次に、制御手段によってヒートポンプ給湯機２が停止していると判断された場合（＃２）について説明する。
【００６１】
ヒートポンプ給湯機２が停止していると判断された場合（＃２）、＃１の場合と異なり、給湯負荷に対してヒートポンプ給湯機２の出力のみで対応可能かどうかの判断を行う必要がないため、上記条件（２）の確認を行わず、条件（３）の確認のみを行う。即ち、制御手段は、状態＃１２の場合と同様、温度センサ５１の検出温度を確認する。そして、温度センサ５１の検出温度がＴ１℃以下である場合（＃２１）には温水ボイラ３を稼働する制御を行い、Ｔ２℃以上である場合（＃２２）には温水ボイラ３を停止し、Ｔ１℃とＴ２℃の間にある場合には（＃２３）、温水ボイラ３に対する制御は行わず、その時点における温水ボイラ３の状態を維持する。
【００６２】
このように温水ボイラ３の制御を行うことで、温度センサの検出温度のみによって貯湯タンク１内に貯湯された温水の量に対する給湯負荷４の大きさがある程度推察でき、温水ボイラ３を稼働させなくてもヒートポンプ給湯機２の運転のみによって給湯負荷４を賄うことが可能かどうかの判断を行うことができる。従って、貯湯タンク１内に流量センサを取り付けることなくヒートポンプ給湯機２を最大限優先的に稼働させる制御を行うことができ、これによってシステム全体の効率を向上させることができる。
【００６３】
尚、上記では、ヒートポンプ給湯機２が停止していると判断された場合における制御内容決定のための温度条件を、ヒートポンプ給湯機２が稼働している場合の温度条件と同一としたが、これらを異ならせるものとしても良い。この場合、温度センサ５１の検出温度が所定のＴ３℃以下である場合（＃２１）には温水ボイラ３を稼働する制御を行い、Ｔ３℃より高温のＴ４℃以上である場合（＃２２）には温水ボイラ３を停止し、Ｔ３℃とＴ４℃の間にある場合には（＃２３）、温水ボイラ３に対する制御は行わず、その時点における温水ボイラ３の状態を維持する。
【００６４】
尚、本実施形態では、ヒートポンプ給湯機２で加熱された温水が、三方継手４２を介して入水口３３から貯湯タンク１に供給されるものとしたが、貯湯タンク１の上部に入水口３３とは別の入水口を有する場合には、当該別の入水口からヒートポンプ給湯機２で加熱された温水が貯湯タンク１に供給される構成としても良い。この場合、三方継手４２は必ずしも必要ではない。
【００６５】
［第２実施形態］
本発明システムの第２実施形態（以下、適宜「本実施形態」と称する）につき、図６〜図９の各図を参照して説明する。尚、第１実施形態と同一の構成要素については同一の符号を付し、又、同一の制御内容についてはその旨を記載して詳細な説明を省略する。
【００６６】
図６は、本実施形態における本発明システムの概略構成図である。図６に示される本発明システム１０ａは、図１に示される本発明システム１０と比較して、三方継手４１の代わりに異なる四方向に開口部を有する十字継手４５を備える点、及び、貯湯タンク１に取り付けられていた温度センサ５２が、前記十字継手４５の一の開口部に挿嵌されている点が異なる。そして、ヒートポンプ給湯機２は、この十字継手４５内に挿嵌されている温度センサ５２の検出結果に基づいて制御される。
【００６７】
まず、十字継手４５の一の開口部に挿嵌された温度センサ５２の検出結果に基づいて行われるヒートポンプ給湯機２の制御内容について説明する。
【００６８】
図７は、三方継手４３、４４、及び十字継手４５を含む本発明システム１０ａの一部分を拡大した概略構成図である。図７に示すように、十字継手４５は、異なる四方向に夫々開口部４５ａ〜４５ｄを備える。
【００６９】
開口部４５ａには、当該十字継手４５内部の流路に到達するように温度センサ５２が挿嵌されており、十字継手４５内部の流路を通水する温水の温度測定が可能に構成されている。又、開口部４５ｂには三方継手４３の開口部４３ｃが連絡されており、給水源５からの低温水が三方継手４３を介して十字継手４５内へ供給可能に構成されている。又、開口部４５ｃには三方継手４４の開口部４４ｂが連絡されており、十字継手４５へ流入した低温水を貯湯タンク１に対して供給し、又、貯湯タンク１に貯えられた温水を十字継手４５内に供給可能に構成されている。更に、開口部４５ｄには、ヒートポンプ給湯機２と連絡された管路が接続され、十字継手４５へ供給される温水（低温水）をヒートポンプ給湯機２へ供給可能に構成されている。
【００７０】
即ち、給水源５から供給された低温水は、開口部４５ｂから十字継手４５内部に流入した後、開口部４５ｃからヒートポンプ給湯機２へ供給される低温水と、開口部４５ｄから入出水口３１を介して貯湯タンク１内に供給される低温水とに分岐される。又、貯湯タンク１内に貯えられていた温水は、入出水口３１から開口部４５ｃを介して十字継手４５内部に流入した後、開口部４５ｄからヒートポンプ給湯機２へ供給される。そして、このように十字継手４５内部を通水する温水又は低温水の温度が、開口部４５ａから挿嵌された温度センサ５２によって検出可能に構成されている。
【００７１】
このように構成されるとき、給水源５からの低温水の供給がなく、ヒートポンプ給湯機２が停止状態である場合、第２循環回路Ｃ２内（図１２参照）における入出水口３１からヒートポンプ給湯機２までの経路内には温水が滞留することとなる。そして、この滞留している温水の温度は、入出水口３１近傍の貯湯タンク１内の温水と同程度の温度となる。そして、第２循環回路Ｃ２内における入出水口３１からヒートポンプ給湯機２までの経路内には、十字継手４５が介装されており、その継手４５内部を通水する温水の温度が温度センサ５２によって検出可能に構成されている。従って、温度センサ５２によって検出される温水の温度は、貯湯タンク１の下部に貯えられた温水の温度に略等しくなる。
【００７２】
つまり、給水源５からの低温水の供給がなく、ヒートポンプ給湯機２が停止状態である場合、温度センサ５２によって十字継手４５内部の温水の温度を検出することで、実質的に貯湯タンク１の下部に貯えられた温水の温度を検出するに等しい結果となる。
【００７３】
又、給水源５からの低温水の供給がなく、ヒートポンプ給湯機２が稼働状態である場合は、貯湯タンク１に貯湯されている温水が入出水口３１から取り出され、十字継手４５内を介してヒートポンプ給湯機２に温水が供給されている状態である。即ち、かかる場合には、入出水口３１近傍の貯湯タンク１内の温水と、十字継手４５内を通水する温水は略同程度の温度を示すこととなる。このため、かかる場合においても、十字継手４５内を通水する温水の温度を温度センサ５２によって検出することで、実質的に貯湯タンク１の下部に貯えられた温水の温度を検出するに等しい結果となる。
【００７４】
即ち、給水源５からの低温水の供給がない場合、十字継手４５内を通水する温水の温度を温度センサ５２によって検出することで、実質的に貯湯タンク１の下部に貯えられた温水の温度を検出するに等しい結果となる。従って、給水源５からの低温水の供給がない場合に、十字継手４５内に挿嵌された温度センサ５２の検出結果に基づいてヒートポンプ給湯機２の制御を行うことは、貯湯タンク１の下部に貯えられた温水の温度を検出すべく当該タンク１に取り付けられた温度センサ５２の検出結果に基づいてヒートポンプ給湯機２の制御を行うことと略等価であることが分かる。
【００７５】
一方、給水源５から低温水が供給されている場合は、貯湯タンク１内に貯湯されている温水量に対して、給湯負荷４が比較的大きい場合に相当する。かかる場合、給水源５から供給される低温水は必ず十字継手４５内を通水する。即ち、温度センサ５２は、十字継手４５内を通水する低温水の温度を検出することとなる。
【００７６】
このとき、第１実施形態と同様、例えば、温度センサ５２から与えられる温度情報が５０℃以上であればヒートポンプ給湯機２を停止させる一方、３５℃以下であればヒートポンプ給湯機２を稼働させる旨の制御を行う場合、給水源５から供給される低温水の温度は通常３５℃以下であるため、ヒートポンプ給湯機２及び循環ポンプ１３は稼働される。つまり、貯湯タンク１内に貯湯されている温水量に対して給湯負荷４が比較的大きい場合には、ヒートポンプ給湯機２が優先的に稼働されることとなる。そして、給湯負荷４の大きさが貯湯タンク１内に貯湯されている温水量に対して減少し、給水源５からの低温水の供給が停止されると、上述したように十字継手４５内を通水する温水は、貯湯タンク１内の入出水口３１近傍の温水と略同程度の温度を示すこととなる。
【００７７】
つまり、本発明システム１０ａのように、十字継手４５内を通水する温水の温度に基づいてヒートポンプ給湯機２の制御を行うことで、第１実施形態のようにタンク１に取り付けられた温度センサ５２の検出結果に基づいてヒートポンプ給湯機２の制御を行うのと事実上同様の制御を行うことができることが分かる。
【００７８】
そして、このように構成される場合において、図３に示すテーブルと同様の制御条件に基づいて温水ボイラ３の制御を行うことで、ヒートポンプ給湯機２を優先的に稼働させることができ、システム全体の効率を向上させることができる。
【００７９】
尚、この場合、図３の状態＃１２は、温度センサ５２〜５４が全て所定の誤差範囲内で同一の温度を示している場合に相当する。
【００８０】
又、第１実施形態では、状態＃１１が（ａ）貯湯タンク１内に貯湯された温水が入出水口３１より取り出されて三方継手４１（本実施形態における十字継手４５に相当、以下同様）を介してヒートポンプ給湯機２へ供給されているか、若しくは、（ｂ）給水源５からの低温水が三方継手４１を介してヒートポンプ給湯機２へ供給されている状態の何れの状態であるかを確定することができないが、本実施形態では、温度センサ５２の検出温度を更に比較することで、前記（ａ）か（ｂ）の何れの状態であるかを確定することができる。
【００８１】
即ち、温度センサ５２と５４が同程度の温度を示し、センサ５３がそれよりも低い温度を示している場合には前記（ａ）の状態であると判断することができ、温度センサ５２と５３が同程度の温度を示し、センサ５４がそれよりも高い温度を示している場合には前記（ｂ）の状態であると判断することができる。これにより、本実施形態の場合は、システム１ａ内を流れる温水（又は低温水）の流況を第１実施形態よりも更に細かく認識することができるため、例えば（ａ）と（ｂ）の状態に応じて夫々異なる制御内容を設定する等、更に詳細な制御を行うことも可能である。
【００８２】
又、本実施形態に係る本発明システム１０ａは、熱源機として温水ボイラ３のみを想定していた従来の貯湯タンク１に対して、ヒートポンプ給湯機２を新たな熱源機として追加する場合にも適用可能である。即ち、ヒートポンプ給湯機２を導入するに際し、当該ヒートポンプ給湯機２の動作制御のために必要な温度センサ５２を、市販の十字継手（クロス継手とも称される）を用いて一の孔部に挿嵌することのみで実現することができる。即ち、温度センサ５２を貯湯タンク１に直接取り付けるべく、当該温度センサ５２を取り付けるための孔を空ける施工を行う必要がないため、貯湯タンク１から水漏れが発生するという事態が生じることがなく、水漏れに伴うシステム効率の低下を招くという問題は発生しない。
【００８３】
尚、本実施形態において、入出水口３１と十字継手４５との間で温水（又は低温水）の通水が行われていない状態の下での温度センサ５２と温度センサ５４の温度差をより明確化するために、両温度センサを異なる高さ位置に設置する構成としても良い。図８は、図７と同様、本実施形態に係る給湯システムの一部を拡大した図である。
【００８４】
図８に示す構成のように、温度センサ５４が挿嵌されている三方継手４４を、温度センサ５２が挿嵌されている十字継手４５よりも高い位置に設置し、三方継手４４の開口部４４ｂと、十字継手４５の開口部４５ｃとを連結管６１によって連絡する。
【００８５】
図７のような構成の場合、貯湯タンク１内の温水が入出水口３１から取り出されていない状態であっても、圧力変動等の影響を受けて、タンク１内の温水が十字継手４５内まで流出し、給水源５からの低温水と混合される事態が場合によっては生じることが想定される。これに対し、図８に示すような構成とすることで、貯湯タンク１内の温水が入出水口３１から取り出されていない状態では、タンク１内下部の温水が十字継手４５内まで流出する確率を大きく低下させることができる。これによって、温度センサ５２と温度センサ５４の温度差をより明確にすることができ、両センサによって計測された温度関係に基づいてヒートポンプ給湯機２の制御を行うことで、制御精度が向上し、システム全体の効率を更に向上させることができる。
【００８６】
図８の構成であっても、温度センサ５２と５４が同程度の温度を示し、センサ５３がそれよりも低い温度を示している場合には、前記（ａ）の状態、即ち、貯湯タンク１内に貯湯された温水が貯湯タンク１の入出水口３１より取り出されて十字継手４５を介してヒートポンプ給湯機２へ供給されているであると判断することができる（図９（ａ）参照）。又、温度センサ５２と５３が同程度の温度を示し、センサ５４がそれよりも高い温度を示している場合には、前記（ｂ）の状態、即ち、給水源５からの低温水が十字継手４５を介してヒートポンプ給湯機２へ供給されている状態であると判断することができる（図９（ｂ）参照）。
【００８７】
従って、図８の構成の場合、温度センサ５２及び５４の双方が５０℃以上であればヒートポンプ給湯機２を停止させる一方、温度センサ５２及び５４の双方が３５℃以下であればヒートポンプ給湯機２を稼働させるものとしても構わない。温度センサ５２及び５４の双方が５０℃以上である場合には、図９（ａ）に示すように、貯湯タンク１の入出水口３１より取り出された温水が５０℃以上であるため、更に加熱する必要がないことが判断される。又、温度センサ５２及び５４の双方が３５℃以下である場合には、図９（ｃ）に示すように、低温水が給水源５から入出水口３１を介して貯湯タンク１内に供給されており、貯湯タンク１内の温水の温度を上昇させるべくヒートポンプ給湯機２を稼働して加熱する必要があることが分かる。
【００８８】
［別実施形態］
以下に、別実施形態について説明する。
【００８９】
〈１〉  上述の実施形態では、状態＃１（ヒートポンプ給湯機２の運転時）において、温度センサ５３が温度センサ５４よりも所定の誤差範囲を超えて高い温度を示している場合についての制御内容は言及していない。これは、温度センサ５３が三方継手４１（第２実施形態では十字継手４５に相当。以下同様）を隔てて給水源５側の管路内の水温を測定しているのに対し、温度センサ５４が三方継手４１を隔てて貯湯タンク１側の管路内の水温を測定しており、給水源５から供給される低温水の温度が貯湯タンク１内の湯温よりも高温になることは通常考えにくいことから、温度センサ５３が温度センサ５４よりも誤差範囲を超えて高い温度を示すという状態の招来を想定する必要がないと考えられるためである。ただし、言うまでもなく、このような状態を検知した場合における制御内容が予め制御手段に設定されているものとしても構わない。一例としては、ボイラ３及びヒートポンプ給湯機２を停止する旨の制御を行うものとすることができる。
【００９０】
〈２〉  上述の各実施形態では、ヒートポンプ給湯機２で加熱された温水は、直接貯湯タンク１に供給されるシステム構成としたが、温水ボイラ３を介して貯湯タンク１に供給されるシステム構成としても構わない。図１０は、本発明システムの別実施形態を示す概略構成図である。
【００９１】
図１０に示す本発明システム１０ｂは、図１に示す本発明システム１０と比較して、循環ポンプ２５及び三方継手４７を新たに備え、又、逆止弁１５及び三方継手４２を備えない。即ち、ヒートポンプ給湯機２で加熱された温水が、循環ポンプ２５を介して逆止弁１７と温水ボイラ３の間に介装された三方継手４７内に供給され、この三方継手４７を介して温水ボイラ３へ供給される構成である。循環ポンプ２５はヒートポンプ給湯機２と同様、温度センサ５２による検出温度によって制御される。尚、圧力的に循環ポンプ１３だけで三方継手４７内に供給可能であれば循環ポンプ２５は不要である。
【００９２】
かかる構成とすることで、温度センサ５２が３５℃以下を検出すると、ヒートポンプ給湯機２によって加熱された温水が、循環ポンプ２５、三方継手４７を介して温水ボイラ３内を加熱されることなく通過した後、入水口３３から温水が貯湯タンク１に供給される。又、ヒートポンプ給湯機２が運転中において、図３に示す制御条件テーブルに基づいて温水ボイラ３が稼働する制御が行われると、ヒートポンプ給湯機２によって加熱された温水が、温水ボイラ３に供給された後、再度温水ボイラ３によって加熱されて貯湯タンク１に供給される。
【００９３】
即ち、本発明システム１０ｂの場合、温水ボイラ３には予めヒートポンプ給湯機２によって加熱された温水が供給されるため、温水ボイラ３に供給される温水の温度が本発明システム１０と比較して上昇し、これによって温水ボイラ３の熱交換量を減らすことができる。
【００９４】
又、給湯負荷４が高負荷となった場合には、ヒートポンプ給湯機２で加熱された温水と入水口３２から取得された貯湯タンク１内の温水とが三方継手４７内で混合されて温水ボイラ３に供給され、当該温水ボイラ３で再び加熱されるものとして構わない。
【００９５】
更に、図１０に示す本発明システム１０ｂでは、第１実施形態に係る本発明システム１０に対して、循環ポンプ２５及び三方継手４７を新たに備えると共に、逆止弁１５及び三方継手４２を備えない構成としたが、第２実施形態に係る本発明システム１０ａに対して同様の変更を加えた構成とすることも可能である。
【００９６】
〈３〉  上述の各実施形態では、温度センサ５３及び５４を、夫々経路内に介装された三方継手４３及び４４の一の開口部内に挿嵌することで、各十字継手内部を通水する温水の温度検出を可能にする構成としたが、温度センサの設置方法については、上述した方法に限られるものではない。即ち、温度センサ５３によって、給水源５から供給された低温水の供給先が入出水口３１とヒートポンプ給湯機２に分岐される分岐点（図１では三方継手４１に相当）と給水源５との間の流路内を通水する温水の温度測定が可能に構成され、温度センサ５４によって、前記分岐点と入出水口３１の間の流路内を通水する温水の温度測定が可能に構成されていれば良い。
【００９７】
又、第２実施形態においても、温度センサ５２を十字継手４５の一の開口部内に挿嵌することで、各十字継手内部を通水する温水の温度検出を可能にする構成としたが、給水源５から供給される低温水が貯湯タンク１に向かう流路とヒートポンプ給湯機２に向かう流路とに分岐される分岐点内を通水する温水の温度検出が可能に構成されていれば、温度センサ５２の設置方法は上述した方法に限定されるものではない。
【００９８】
〈４〉  上述の各実施形態では、熱源機としてヒートポンプ給湯機２と温水ボイラ３を用いるものとして説明したが、熱効率の異なる複数の熱源機を備えると共に、熱効率の低い一の熱源機が、熱効率の高い他の熱源機の発停状態、並びに温度センサ５１、５３、及び５４の検出結果に基づいて、発停制御が行われる構成であれば、熱源機の種類に限定されるものではない。又、ヒートポンプ給湯機２並びに温水ボイラ３を備える場合であっても、上述のようにＣＯ２冷媒を用いたヒートポンプ給湯機や真空式ボイラに限定されるものではない。更に、ヒートポンプ給湯機２及び温水ボイラ３の発停条件として記載した設定温度値はあくまで一例であり、設定値はこの値に限られるものではない。
【００９９】
〈５〉  上述の各実施形態において、温水ボイラ３の制御内容を決定するに際し、まずヒートポンプ給湯機２の発停状態（１）を確認し、発停状態に応じて次の判断ステップを異ならせるものとしたが、制御内容決定のフローは特に上記の方法に限られない。例えば、いかなる場合においても、上記（１）〜（３）の３項目を全て確認し、これら３項目の状態が全て確認された時点で、各状態の組み合わせに基づいて温水ボイラ３の制御内容を決定するものとしても構わない。
【０１００】
〈６〉  上述の各実施形態において、継手内を通水する温水の温度を測定するために挿嵌する温度センサは、鉛直下向きに挿嵌する必要はなく、挿嵌方向に依存するものではない。又、各継手間の接続位置や継手の取り付け位置は、図面上に図示された位置に限定されるものではなく、本発明の範囲内で任意に変更可能である。
【図面の簡単な説明】
【０１０１】
【図１】本発明に係る給湯システムの第１実施形態の概略構成図
【図２】本発明の第１実施形態に係る給湯システムの一部を拡大した模式図
【図３】本発明に係る給湯システムが備える温水ボイラの制御内容を条件毎にテーブル形式で記載した制御条件テーブル
【図４】低負荷時における温水の流れを付記した本発明に係る給湯システムの第１実施形態の一部概略構成図
【図５】高負荷時における温水の流れを付記した本発明に係る給湯システムの第１実施形態の一部概略構成図
【図６】本発明に係る給湯システムの第２実施形態の概略構成図
【図７】本発明の第２実施形態に係る給湯システムの一部を拡大した模式図
【図８】本発明の第２実施形態に係る給湯システムの一部を拡大した別の模式図
【図９】温水の流れを付記した本発明に係る給湯システムの第２実施形態の一部概略構成図
【図１０】本発明に係る給湯システムの別実施形態の概略構成図
【図１１】従来の給湯システムの概略構成図
【図１２】第１循環回路及び第２循環回路の経路図
【符号の説明】
【０１０２】
１：    貯湯タンク
２：    ヒートポンプ給湯機
３：    温水ボイラ
４：    給湯負荷
５：    給水源
１０、１０ａ：    本発明に係る給湯システム
１１、１２、１４、１６、１８、１９、２２：    弁
１３、２３、２５：    循環ポンプ
１５：    逆止弁
３１：    入出水口
３２、３４：    出水口
３３：    入水口
４１、４２、４３、４４、４７：    三方継手
４５：    十字継手
５１、５２、５３、５４：    温度センサ
６１：    連結管
１００：    従来の給湯システム
Ｃ１、Ｃ２：    循環回路
【図１】
0005192875.tif 000002
【図２】
0005192875.tif 000003
【図３】
0005192875.tif 000004
【図４】
0005192875.tif 000005
【図５】
0005192875.tif 000006
【図６】
0005192875.tif 000007
【図７】
0005192875.tif 000008
【図８】
0005192875.tif 000009
【図９】
0005192875.tif 000010
【図１０】
0005192875.tif 000011
【図１１】
0005192875.tif 000012
【図１２】
0005192875.tif 000013